(57)【要約】【課題】ユーザに煩雑な操作をさせることなく、１度の撮影で複数の画像生成することができ、さらに同じ現像パラメータが連続で設定されることを防止して意外性のある現像結果が得られる撮像装置を提供すること。【解決手段】静止画撮影手段と、撮影した静止画の現像パラメータ指定手段と、撮影した静止画を保存する手段と、撮影した静止画の現像パラメータのランダム選択手段と、１度の撮影行為で２枚の画像を生成する制御手段と、通常撮影と１度の撮影で２枚の画像を生成する制御手段とを切り換える手段と、２枚の画像のうち１枚は指定された現像パラメータで現像し、残り１枚はランダム選択された現像パラメータで現像する現像処理手段を有し、前記現像パラメータのランダム選択手段は、前回使用されてからの経過時間が短い現像パラメータの選択確率を下げ、前回使用されての経過時間が長い現像パラメータの選択確率を上げるように、現像パラメータの使用履歴をもとに確率重みづけをすることを特徴とする。【選択図】図１
2017175305.tif 000002
【特許請求の範囲】
【請求項１】
静止画撮影手段（２０３）と、
撮影した静止画の現像パラメータ指定手段（２０３）と、
撮影した静止画を保存する手段（２０７）と、
撮影した静止画の現像パラメータのランダム選択手段（２０３）と、
１度の撮影行為で２枚の画像を生成する制御手段（２０３）と、
通常撮影と１度の撮影で２枚の画像を生成する制御手段とを切り換える手段（２０３）と、
２枚の画像のうち、１枚は指定された現像パラメータで現像し、
残り１枚はランダム選択された現像パラメータで現像する現像処理手段（２０６）を有し、
前記現像パラメータのランダム選択手段（２０３）は、前回使用されてからの経過時間が短い現像パラメータの選択確率を下げ、前回使用されての経過時間が長い現像パラメータの選択確率を上げるように、現像パラメータの使用履歴をもとに確率重みづけをすること（Ｓ１０５、Ｓ６０７）を特徴とする撮像装置。
【請求項２】
前記現像パラメータのランダム選択手段（２０３）は、
現像パラメータの使用時刻を不揮発性メモリ（２０５）に記憶する手段を有し、
不揮発性メモリから現像パラメータの使用時刻情報を取得して（Ｓ１０４）、その履歴情報で重みづけされた確率（Ｓ１０５）で現像パラメータを選択することを特徴とする請求項１に記載の撮像装置。
【請求項３】
前記現像パラメータのランダム選択手段（２０３）は、
外部メモリ（２０７）に記録されている静止画ファイルから現像パラメータの使用時刻情報を取得して（Ｓ６０６）、その履歴情報で重みづけされた確率（Ｓ６０７）で現像パラメータを選択することを特徴とする請求項１に記載の撮像装置。
【請求項４】
前記現像パラメータのランダム選択手段（２０３）は、
外部メモリ（２０７）に記録されている静止画のコンテンツ情報が記述されたインデックスファイルから現像パラメータの使用時刻情報を取得し（Ｓ６０５）、その履歴情報で重みづけされた確率（Ｓ６０７）で現像パラメータを選択することを特徴とする請求項１に記載の撮像装置。
【発明の詳細な説明】
【技術分野】
【０００１】
本発明は、撮像装置に関し、特に現像パラメータをランダムに生成する際の撮像装置制御に関する。
【背景技術】
【０００２】
近年、様々な機能が搭載された撮像装置が存在する。単純に現像パラメータを設定して１枚撮影するだけでなく、１度に複数の画像を生成するような撮像装置も存在する。
【０００３】
特許文献１には、撮影前にユーザがあらかじめ複数の現像パラメータを設定した上で撮影すると、１度の撮影で複数のバリエーション画像の撮影を可能にするような技術が開示されている。
【０００４】
また、膨大な機能が搭載され続けていることにより、ユーザは撮像装置の機能をすべて把握し使用することも難しい状況となっている。このような状況を回避するために、撮像装置からユーザに適した機能を提供するような機能が搭載されたものも存在する。
【０００５】
特許文献２には、使用頻度の少ない機能のうち、客観的に便利な機能をユーザに知らせるような技術が開示されている。
【先行技術文献】
【特許文献】
【０００６】
【特許文献１】特開２０１２‐１２４５６９号公報
【特許文献２】特開２００８‐２４１８４２号公報
【発明の概要】
【発明が解決しようとする課題】
【０００７】
しかしながら、上述の特許文献に開示された従来技術では、ユーザにあらかじめ複数の現像パラメータの設定を行わせる必要があり煩雑であるため、ユーザの操作性を低下させてしまう恐れがある。加えて、ユーザ自身があらかじめ登録する必要があるため、普段ユーザが使用しない機能はずっと使用されないままとなってしまう。また、撮像装置が主導となり、現像パラメータを自動で生成させる機能を提供する場合においても、ただランダムに現像パラメータを生成するだけでは、連続して類似度の高い現像結果となる可能性がありユーザの期待した効果を提供できない恐れがある。
【０００８】
そこで、本発明の目的は、ユーザに煩雑な操作をさせることなく、１度の撮影で複数の画像生成することができ、さらに同じ現像パラメータが連続で設定されることを防止して意外性のある現像結果が得られる撮像装置を提供することにある。
【課題を解決するための手段】
【０００９】
上記の目的を達成するために、本発明に係る撮像装置は、
静止画撮影手段と、撮影した静止画の現像パラメータ指定手段と、撮影した静止画を保存する手段と、撮影した静止画の現像パラメータのランダム選択手段と、１度の撮影行為で２枚の画像を生成する制御手段と、通常撮影と１度の撮影で２枚の画像を生成する制御手段とを切り換える手段と、２枚の画像のうち１枚は指定された現像パラメータで現像し、残り１枚はランダム選択された現像パラメータで現像する現像処理手段を有し、前記現像パラメータのランダム選択手段は、前回使用されてからの経過時間が短い現像パラメータの選択確率を下げ、前回使用されての経過時間が長い現像パラメータの選択確率を上げるように、現像パラメータの使用履歴をもとに確率重みづけをすることを特徴とする。
【発明の効果】
【００１０】
本発明に係る撮像装置によれば、１度の撮影で複数枚の画像における現像パラメータをランダムに生成する際、ユーザの操作性を落とすことなく、不快感を与えない現像パラメータ生成制御を提供することが可能となる。
【図面の簡単な説明】
【００１１】
【図１】本発明における実施例１の撮影処理シーケンス
【図２】撮像装置の構成ブロック図
【図３】現像履歴情報の例
【図４】現像パラメータ確率重みづけの算出方法を示す図
【図５】現像パラメータ選択確率リストの例
【図６】本発明における実施例２の撮影処理シーケンス
【図７】外部メモリに記録されるファイルの例
【発明を実施するための形態】
【００１２】
以下に、本発明の好ましい実施の形態を、添付の図面に基づいて詳細に説明する。
【００１３】
図２は本発明の実施形態にかかわる撮像装置の構成ブロック図である。
【００１４】
２００は撮影レンズである。撮影レンズの種類としては、単焦点レンズやズームレンズが存在する。特殊なものとしては、魚眼風の効果がある魚眼レンズや、あおり撮影を可能にするチルトシフトレンズ（以後ＴＳレンズ）が存在する。
【００１５】
２０１は撮像素子である。撮像素子２０１にはＣＣＤやＣＭＯＳセンサなどが用いられ、撮影レンズ２００によって結像された被写体像を電気信号に変換する。
【００１６】
２０２はＡ／Ｄ変換器である。Ａ／Ｄ変換器２０２は撮像素子２０１のアナログ出力信号をデジタル信号に変換する。
【００１７】
２０３はマイクロコンピュータである。マイクロコンピュータ２０３は各構成要素の制御やデータ処理など撮像装置全体を制御する。撮影レンズ２００が装着されているかどうかの検出、装着されているレンズの種類等を判定する。本実施例で説明する、撮像装置に設定されている現像パラメータの判別や、過去ユーザが使用した現像パラメータの蓄積、履歴参照等の処理もマイクロコンピュータ２０３で行う。また、ランダムに現像パラメータを生成する際の制御、生成したパラメータが適したものかどうかの判定制御もマイクロコンピュータ２０３が行う。
【００１８】
２０４は揮発性メモリである。揮発性メモリ２０４にはＡ／Ｄ変換器でデジタル信号に変換された画像データを一時的に保持する。
【００１９】
２０５は不揮発性メモリである。不揮発性メモリ２０５にはマイクロコンピュータ２０３で処理する撮像装置の実行プログラムがある。また、ユーザが設定した現像パラメータの履歴を蓄積する。
【００２０】
２０６は画像処理部である。画像処理部２０６では、撮影された画像に対する画像処理を行う。
【００２１】
２０７は外部メモリである。外部メモリ２０７には、コンパクトフラッシュやスマートメディア、また、ハードディスクドライブなどがある。画像処理２０６が画像処理を行った結果をマイクロコンピュータ２０３がファイルに変換し、外部メモリ２０７に出力する。
【００２２】
２０８は表示部材である。表示部材には液晶モニタなどがある。外部メモリ２０７に出力したファイルの画像や、画像処理２０６が処理した結果を表示する。
【００２３】
２０９は操作部材である。操作部材にはスイッチ、ボタンなどがあり、表示部材２０８で表示されたものに対する操作を行う。ランダムに現像パラメータを生成し、複数枚の画像撮影を行うかどうかを設定は、表示部材２０８に設定画面を表示し、操作部材２０９で設定することを想定している。
【００２４】
図３の３０１は撮像装置に設定可能な現像パラメータの一例である。例として、１０個の現像パラメータを示す。
【００２５】
現像パラメータは撮像装置に設定可能なものであれば、数、種類等に特に制約はない。１度の撮影で２枚の画像を保存する際、１枚の画像は現在撮像装置に設定されている現像パラメータで現像し、残り１枚の画像は、ランダムに現像パラメータを生成しそのパラメータで現像する（以下、パラメータをランダム生成する撮影モードをランダムモードと表現する）。
【実施例１】
【００２６】
以下、図１を参照して、本発明の第１の実施例による現像履歴を利用したランダムモードの撮像制御について説明する。
【００２７】
マイクロコンピュータ２０３により、静止画撮影が行われたかどうかを検知する（Ｓ１０１）。
【００２８】
Ｓ１０１で静止画撮影が行われると、１度の撮影で２枚の画像を生成するモードに設定されているかどうかを判定する（Ｓ１０２）。
【００２９】
Ｓ１０２で２枚の画像を生成するモードに設定されていない場合には、Ｓ１０２で現在設定されている現像パラメータをマイクロコンピュータ２０３で検知し、揮発性メモリ２０４に保持しておく。揮発性メモリ２０４に保持されたユーザが設定している現像パラメータの履歴は、撮像装置の電源がオフされた際にも記憶しておく必要があるため、撮像装置の電源オフ時に不揮発性メモリ２０５に記憶しておくなどの処理を行う必要がある。なお、不揮発性メモリ２０５への記憶タイミングとしては、Ｓ１０２で行ってもよい。Ｓ１１０で現在設定されている現像パラメータにて画像処理部２０６により画像処理が行われ、マイクロコンピュータ２０３によりファイルを生成し、外部メモリ２０７へ保存する（Ｓ１１１）。
【００３０】
Ｓ１０２で２枚の画像を生成するモードに設定されている場合、過去にユーザが使用した現像パラメータの履歴を取得済みであるかの判定をおこなう（Ｓ１０３）。
【００３１】
Ｓ１０３で現像パラメータの履歴を取得済みでない場合には、Ｓ１０４で不揮発性メモリ２０５に記憶されている現像パラメータの履歴情報を揮発性メモリ２０４に展開する。現像パラメータの履歴情報は、現像パラメータ名３０１とその現像パラメータの最終使用時刻３０２で構成される。またこのとき、マイクロコンピュータ２０３から取得した現在時刻３０４と最終使用時刻３０２の差分から、現像パラメータの使用経過時間３０３を算出して揮発性メモリ２０４に記憶しておく。この現像履歴情報は撮像装置の起動時に揮発性メモリ２０４に展開しておいてもよい。
【００３２】
Ｓ１０５ではＳ１０４で取得した現像履歴情報をもとに、ランダムモードの現像パラメータ選択確率リストを作成する。このリストは、現像パラメータ５０１とその選択確率５０２（ａ）の情報から構成される。ランダムモードではユーザにとって意外性のある現像結果を得られることが要求されるため、前回使用されてからの経過時間が短い現像パラメータは選択され難く、前回使用されてからの経過時間が長い現像パラメータは選択され易くなるようにリストを作成する。そこで、各現像パラメータの選択確率を図４のように、前回使用されてからの経過時間に比例する期待値を用いて選択確率を算出する。この選択確率の算出アルゴリズムはこれだけに限定されず、経過時間に応じて選択確率が変動する結果であればよい。
【００３３】
Ｓ１０６では図５（ａ）に示すリストにもとづいて現像パラメータを選択する、今回の例では一番確率の高い「魚眼風効果」が選択されたと仮定する。現像パラメータが選択されると経過時間が一番短くなるため、図５（ｂ）のように現像パラメータの選択確率が更新されて、「魚眼風効果」の選択確率が下がり最も選択されにくい現像パラメータとなる（Ｓ１０７）。またこれと同時に不揮発性メモリ２０５に現像履歴を記録する。不揮発性メモリへの記録は撮像装置の電源オフのタイミングに行ってもよい。
【００３４】
Ｓ１０６でパラメータが決定すると、画像処理部２０６により、ランダム現像パラメータでの現像処理を行い（Ｓ１０８）、ファイルを生成し、外部メディア２０７に保存する（Ｓ１０９）。Ｓ１０９でファイル生成する際に、ランダムに生成したパラメータで撮影した画像であることを記録しておいてもよい。仮に、ランダムで生成したパラメータがユーザにとって使い勝手がよいものであれば、それらをお気に入りのような形で別途保存させることも可能となる。
【００３５】
現在の撮像装置に設定されている現像パラメータで現像処理（Ｓ１１０）、ファイル生成、保存（Ｓ１１１）を行うことで、１度の撮影で２枚の画像を生成する処理が完了する。
【００３６】
今回対象となる現像パラメータは、静止画撮影時の現像パラメータだけでなく、編集等の後処理で使用されたフィルタ効果等の設定を履歴として使用することも想定している。
【００３７】
本実施例によると、ランダムに現像パラメータを生成する際、ユーザの過去の現像パラメータ設定履歴を参照することで、ユーザの操作性を落とすことなく、不快感を与えない現像パラメータ生成制御を提供することが可能となる。
【実施例２】
【００３８】
以下、図６を参照して、本発明の第２の実施例による現像履歴を利用したランダムモードの撮像制御について説明する。
【００３９】
マイクロコンピュータ２０３により、静止画撮影が行われたかどうかを検知する（Ｓ６０１）。
【００４０】
Ｓ６０１で静止画撮影が行われると、１度の撮影で２枚の画像を生成するモードに設定されているかどうかを判定する（Ｓ６０２）。
【００４１】
Ｓ６０２で２枚の画像を生成するモードに設定されていない場合には、Ｓ６０２で現在設定されている現像パラメータをマイクロコンピュータ２０３で検知し、揮発性メモリ２０４に保持しておく。揮発性メモリ２０４に保持されたユーザが設定している現像パラメータの履歴は、撮像装置の電源がオフされた際にも記憶しておく必要があるため、撮像装置の電源オフ時に不揮発性メモリ２０５に記憶しておくなどの処理を行う必要がある。なお、不揮発性メモリ２０５への記憶タイミングとしては、Ｓ６０２で行ってもよい。Ｓ６１２で現在設定されている現像パラメータにて画像処理部２０６により画像処理が行われ、マイクロコンピュータ２０３によりファイルを生成し、外部メモリ２０７へ保存する（Ｓ６１３）。
【００４２】
Ｓ６０２で２枚の画像を生成するモードに設定されている場合、過去にユーザが使用した現像パラメータの履歴を取得済みであるかの判定をおこなう（Ｓ６０３）。
【００４３】
Ｓ６０３で現像パラメータの履歴を取得済みでない場合には、Ｓ６０４で外部メモリ２０７に画像ファイルのコンテンツ内容が記述されたインデックスファイルがあるかどうか判定をおこなう。図７に静止画ファイル７０１とインデックスファイル７０２の外部メモリへの記録例を示す、インデックスファイルを読み出すことで画像ファイルに関する様々な情報を効率的に取得することが可能となる。
【００４４】
Ｓ６０４で外部メモリ２０７にインデックスファイルがある場合には、インデックスファイルから画像の現像履歴（現像パラメータと使用時刻）を取得する（Ｓ６０５）。Ｓ６０４で外部メモリ２０７にインデックスファイルがない場合には、画像ファイルのＥｘｉｆ（Ｅｘｃｈａｎｇｅａｂｌｅ  ｉｍａｇｅ  ｆｉｌｅ  ｆｏｒｍａｔ）などから撮像情報を読み出し、現像履歴を取得する（Ｓ６０６）。現像パラメータの履歴情報は、現像パラメータ名３０１とその現像パラメータの最終使用時刻３０２で構成される。またこのとき、マイクロコンピュータ２０３から取得した現在時刻３０４と最終使用時刻３０２の差分から、現像パラメータの使用経過時間３０３を算出して揮発性メモリ２０４に記憶しておく。この現像履歴情報は撮像装置の起動時に揮発性メモリ２０４に展開しておいてもよい。
【００４５】
Ｓ６０７では取得した現像履歴情報をもとに、ランダムモードの現像パラメータ選択確率リストを作成する。このリストは、現像パラメータ５０１とその選択確率５０２（ａ）の情報から構成される。ランダムモードではユーザにとって意外性のある現像結果を得られることが要求されるため、前回使用されてからの経過時間が短い現像パラメータは選択され難く、前回使用されてからの経過時間が長い現像パラメータは選択され易くなるようにリストを作成する。そこで、各現像パラメータの選択確率を図４のように、前回使用されてからの経過時間に比例する期待値を用いて選択確率を算出する。この選択確率の算出アルゴリズムはこれだけに限定されず、経過時間に応じて選択確率が変動する結果であればよい。
【００４６】
Ｓ６０８では図５（ａ）に示すリストにもとづいて現像パラメータを選択する、今回の例では一番確率の高い「魚眼風効果」が選択されたと仮定する。現像パラメータが選択されると経過時間が一番短くなるため、図５（ｂ）のように現像パラメータの選択確率が更新されて、「魚眼風効果」の選択確率が下がり最も選択されにくい現像パラメータとなる（Ｓ６０９）。またこれと同時に不揮発性メモリ２０５に現像履歴を記録する。不揮発性メモリへの記録は撮像装置の電源オフのタイミングに行ってもよい。Ｓ６０８でパラメータが決定すると、画像処理部２０６により、ランダム現像パラメータでの現像処理を行い（Ｓ６１０）、ファイルを生成し、外部メディア２０７に保存する（Ｓ６１１）。
【００４７】
Ｓ６１１でファイル生成する際に、ランダムに生成したパラメータで撮影した画像であることを記録しておいてもよい。仮に、ランダムで生成したパラメータがユーザにとって使い勝手がよいものであれば、それらをお気に入りのような形で別途保存させることも可能となる。
【００４８】
現在の撮像装置に設定されている現像パラメータで現像処理（Ｓ６１２）、ファイル生成、保存（Ｓ６１３）を行うことで、１度の撮影で２枚の画像を生成する処理が完了する。
【００４９】
今回対象となる現像パラメータは、静止画撮影時の現像パラメータだけでなく、編集等の後処理で使用されたフィルタ効果等の設定を履歴として使用することも想定している。
【００５０】
本実施例によると、ランダムに現像パラメータを生成する際、不揮発性メモリを使用せずとも外部メモリからユーザの過去の現像パラメータ設定履歴を参照することで、ユーザの操作性を落とすことなく、不快感を与えない現像パラメータ生成制御を提供することが可能となる。
【００５１】
以上、本発明の好ましい実施形態について説明したが、本発明はこれらの実施形態に限定されない、例えば不揮発性メモリと外部メモリに記録されたファイルの両方から現像履歴を取得するなど、その要旨の範囲内で種々の変形及び変更が可能である。
【符号の説明】
【００５２】
２０３  マイクロコンピュータ、２０５  不揮発性メモリ、２０６撮影画像の画像処理、
２０７  ：外部メモリ、Ｓ１０４  現像履歴を不揮発性メモリから取得する処理、
Ｓ１０５，Ｓ６０７  現像パラメータの選択確率リストを作成する処理、
Ｓ６０５  現像履歴を外部メモリのインデックスファイルから取得する処理、
Ｓ６０６  現像履歴を外部メモリの画像ファイルから取得する処理
【図１】
2017175305.tif 000003
【図２】
2017175305.tif 000004
【図３】
2017175305.tif 000005
【図４】
2017175305.tif 000006
【図５】
2017175305.tif 000007
【図６】
2017175305.tif 000008
【図７】
2017175305.tif 000009